(57)【要約】      （修正有）【課題】収容箱から連結箱が容易に取り外されることを防止することができる、連結箱、及びこれを備える包装用容器を提供する。【解決手段】収容箱１に連結される連結箱２であって、補助物品を収容可能な箱本体と、前記箱本体から突出する板状の第１挿入部２０５と、前記第１挿入部の先端に折り曲げ可能に連結された第１係止部２０７とを備え、前記収容箱の上部開口において、両横フラップが折曲げられ、当該両横フラップを覆って前記上蓋フラップ１５が第４辺に固定されているとき、前記第１挿入部２０５が、前記上部開口の第１辺または第３辺において、前記第１係止部２０７が折り曲げられた状態で、前記横フラップと前記上蓋フラップとの間に挿入されるとともに折り曲げられた前記第１係止部２０７が前記横フラップに係合可能に構成されている連結箱２。【選択図】図６
2015229523.tif 000002
【特許請求の範囲】
【請求項１】
上部開口及び下部開口を有し、物品を収容可能な角筒状の本体部と、前記上部開口を塞ぐ上蓋部と、前記下部開口を塞ぐ下蓋部と、を備え、前記上部開口及び下部開口は、それぞれ、第１，第２，第３及び第４辺を周縁とする矩形状に形成され、前記上蓋部が、前記上部開口の対向する前記第１辺及び第３辺に折り曲げ可能に連結された一対の横フラップと、前記第２辺に折曲げ可能に連結され、前記第４辺まで延びて当該第４辺に着脱可能に固定される上蓋フラップと、を備えている収容箱、に連結される連結箱であって、
補助物品を収容可能な箱本体と、
前記箱本体から突出する板状の第１挿入部と、
前記第１挿入部の先端に折り曲げ可能に連結された第１係止部と、
を備え、
前記収容箱の上部開口において、前記両横フラップが折曲げられ、当該両横フラップを覆って前記上蓋フラップが前記第４辺に固定されているとき、前記第１挿入部が、前記上部開口の前記第１辺または第３辺において、前記第１係止部が折り曲げられた状態で、前記横フラップと前記上蓋フラップとの間に挿入されるとともに折り曲げられた前記第１係止部が前記横フラップに係合可能に構成されている、連結箱。
【請求項２】
前記収容箱の下蓋部は、前記下部開口の対向する第１辺及び第３辺に折り曲げ可能に連結された一対の横フラップと、前記第２辺に折り曲げ可能に連結され、前記第４辺まで延びて当該第４辺に着脱可能に固定される下蓋フラップと、を備えており、
前記連結箱は、
前記箱本体から突出する板状の第２挿入部と、
前記第２挿入部の先端に折り曲げ可能に連結された第２係止部と、
をさらに備え、
前記第２挿入部は、前記収容箱の下部開口において、前記両横フラップが折曲げられ、当該両横フラップを覆って前記下蓋フラップが前記第４辺に固定されているとき、前記第２挿入部が、前記下部開口の前記第１辺または第３辺において、前記第２係止部が折り曲げられた状態で、前記横フラップと前記下蓋フラップとの間に挿入されるとともに折り曲げられた前記第２係止部が前記横フラップに係合可能に構成されている、請求項１に記載の連結箱。
【請求項３】
前記収容箱に、前記物品が収容され、
前記上部開口において、折り曲げられた前記第１係止部は、前記物品の頂部と前記上蓋フラップにより挟まれる、請求項１または２に記載の連結箱。
【請求項４】
前記連結箱の箱本体は、上部開口及び下部開口を有する本体部と、前記上部開口を塞ぐ上蓋部と、前記下部開口を塞ぐ下蓋部と、を備え、前記上部開口及び下部開口は、それぞれ、第１，第２，第３及び第４辺を周縁とする矩形状に形成され、前記上蓋部が、前記上部開口の対向する第１辺及び第３辺に折り曲げ可能に連結された一対の横フラップと、前記第２辺に折り曲げ可能に連結され、前記第４辺まで延びて当該第４辺に着脱自在に固定される上蓋フラップと、を備え、
前記第１挿入部は、前記箱本体における前記上部開口の第４辺から突出するように構成されている、請求項１から３のいずれかに記載の連結箱。
【請求項５】
前記第１挿入部が前記連結箱の上部開口に取り付けられたとき、前記連結箱の箱本体は、前記収容箱の本体部と接触するように構成され、
前記箱本体において、前記収容箱に接触する面に、前記補助物品を収容するための開口部が形成されている、請求項１から４のいずれかに記載の連結箱。
【請求項６】
上部開口及び下部開口を有し、物品を角筒状の本体部と、前記上部開口を塞ぐ上蓋部と、前記下部開口を塞ぐ下蓋部と、を備え、前記上部開口及び下部開口は、それぞれ、第１，第２，第３及び第４辺を周縁とする矩形状に形成され、前記上蓋部が、前記上部開口の対向する第１辺及び第３辺に折り曲げ可能に連結された一対の横フラップと、前記第２辺に折り曲げ可能に連結され、前記第４辺まで延びて当該第４辺に着脱自在に固定される上蓋フラップと、を備えている収容箱と、
請求項１から５のいずれかに記載の連結箱と、
を備えている、包装用容器。
【発明の詳細な説明】
【技術分野】
【０００１】
本発明は、連結箱、及びこれを備える包装用容器に関する。
【背景技術】
【０００２】
従来より、商品が収容された収容箱に対し、付属品やおまけなどを収容した連結箱を連結した状態（これらを併せて包装用容器と称する）で販売することがある。例えば、特許文献１に記載のような収容箱においては、次のように連結箱が取付けられている。
【０００３】
まず、収容箱は、次のように構成されている。すなわち、収容箱は、上部開口及び下部開口を有し、物品を収容可能な四角筒状の本体部と、上部開口を塞ぐ上蓋部と、下部開口を塞ぐ下蓋部と、を備えている。上部開口及び下部開口は、それぞれ、第１，第２，第３及び第４辺を周縁とする矩形状に形成され、上蓋部は、上部開口の対向する第１辺及び第３辺に折り曲げ可能に連結された一対の横フラップと、第２辺に折曲げ可能に連結され、第４辺まで延びてこの第４辺に着脱可能に固定される上蓋フラップと、を備えている。また、下蓋部も、上蓋部と同様に形成されている。
【０００４】
一方、連結箱は、直方体状の箱本体と、この箱本体の一辺から突出する板状の挿入部を備えている。そして、連結箱を収容箱に連結するには、連結箱の挿入部を、収容箱の上部開口に取付ける。具体的には、収容箱の上部開口の第４辺に対し、つまり、本体部の側面と上蓋フラップと間に、上方から連結箱の挿入部を挿入する。これにより、挿入部は、上蓋フラップと、本体部の側面との間に挟まれ固定される。その結果、収容箱に連結箱が連結される。
【先行技術文献】
【特許文献】
【０００５】
【特許文献１】特開平１０−２３６４５６号公報
【発明の開示】
【発明が解決しようとする課題】
【０００６】
しかしながら、上記の態様では、挿入部を収容箱に、単に挿入しているだけであるため、連結箱を引っ張ると、挿入部は収容箱から簡単に抜け出て、連結箱を収容箱から取り外せてしまう。したがって、特許文献１のような態様では、連結箱のみが盗難されるなどの不具合が生じる可能性がある。
【０００７】
本発明は、上記問題を解決するためになされたものであり、収容箱から連結箱が容易に取り外されることを防止することができる、連結箱、及びこれを備える包装用容器を提供することを目的とする。
【課題を解決するための手段】
【０００８】
本発明に係る連結箱は、上部開口及び下部開口を有し、物品を収容可能な角筒状の本体部と、前記上部開口を塞ぐ上蓋部と、前記下部開口を塞ぐ下蓋部と、を備え、前記上部開口及び下部開口は、それぞれ、第１，第２，第３及び第４辺を周縁とする矩形状に形成され、前記上蓋部が、前記上部開口の対向する前記第１辺及び第３辺に折り曲げ可能に連結された一対の横フラップと、前記第２辺に折曲げ可能に連結され、前記第４辺まで延びて当該第４辺に着脱可能に固定される上蓋フラップと、を備えている収容箱、に連結される連結箱であって、補助物品を収容可能な箱本体と、前記箱本体から突出する板状の第１挿入部と、前記第１挿入部の先端に折り曲げ可能に連結された第１係止部と、を備え、前記収容箱の上部開口において、前記両横フラップが折曲げられ、当該両横フラップを覆って前記上蓋フラップが前記第４辺に固定されているとき、前記第１挿入部が、前記上部開口の前記第１辺または第３辺において、前記第１係止部が折り曲げられた状態で、前記横フラップと前記上蓋フラップとの間に挿入されるとともに折り曲げられた前記第１係止部が前記横フラップに係合可能に構成されている。
【０００９】
この構成によれば、連結箱の箱本体に、箱本体から突出する板状の第１挿入部が取付けられ、この第１挿入部の先端に折り曲げ可能に第１係止部が連結されている。これら第１挿入部及び第１係止部は、連結箱を収容箱に連結するために用いられる。その際、収容箱の上部開口の第１辺または第３辺に対し、第１係止部が折り曲げられた状態で、第１挿入部を収容箱の横フラップと上蓋フラップとの間に挿入する。これにより、折り曲げられた第１係止部が、収容箱の横フラップに係合可能となる。したがって、連結箱を収容箱から離間しようとすると、第１係止部が横フラップに係合し、抜け止めとなるため、連結箱が収容箱から離れるのを防止することができる。これにより、連結箱が収容箱から取り外され、盗難などがなされるのを防止することができる。
【００１０】
上記連結箱においては、次のように構成することができる。すなわち、前記収容箱が、前記下部開口の対向する第１辺及び第３辺に折り曲げ可能に連結された一対の横フラップと、前記第２辺に折り曲げ可能に連結され、前記第４辺まで延びて当該第４辺に着脱可能に固定される下蓋フラップと、を備えており、前記連結箱が、前記箱本体から突出する板状の第２挿入部と、前記第２挿入部の先端に折り曲げ可能に連結された第２係止部と、をさらに備え、前記第２挿入部は、前記収容箱の下部開口において、前記両横フラップが折曲げられ、当該両横フラップを覆って前記下蓋フラップが前記第４辺に固定されているとき、前記第２挿入部が、前記下部開口の前記第１辺または第３辺において、前記第２係止部が折り曲げられた状態で、前記横フラップと前記下蓋フラップとの間に挿入されるとともに折り曲げられた前記第２係止部が前記横フラップに係合可能に構成されている。
【００１１】
この構成によれば、収容箱の上部開口及び下部開口に、第１挿入部及び第２挿入部がそれぞれ挿入され、第１係止部及び第２係止部がそれぞれ、収容箱における上部開口及び下部開口の横フラップに係合するため、連結箱が収容箱から離されるのをより確実に防止することができる。
【００１２】
上記連結箱においては、前記収容箱に、前記物品が収容され、前記上部開口において、折り曲げられた前記第１係止部は、前記物品の頂部と前記上蓋フラップにより挟まれるように構成することができる。
【００１３】
これにより、折り曲げられた第１係止部が、下側から物品の頂部により押圧されるため、第１係止部の第１挿入部に対する折り曲げ状態が維持される。その結果、第１係止部を横フラップに対して、確実に係止させることができる。
【００１４】
上記連結箱は、次のように構成することもできる。すなわち、前記連結箱の箱本体は、上部開口及び下部開口を有する本体部と、前記上部開口を塞ぐ上蓋部と、前記下部開口を塞ぐ下蓋部と、を備え、前記上部開口及び下部開口は、それぞれ、第１，第２，第３及び第４辺を周縁とする矩形状に形成され、前記上蓋部及び下蓋部のうち、少なくとも上蓋部が、前記上部開口の対向する第１辺及び第３辺に折り曲げ可能に連結された一対の横フラップと、前記第２辺に折り曲げ可能に連結され、前記第４辺まで延びて当該第４辺に着脱自在に固定される上蓋フラップと、を備え、前記第１挿入部は、前記箱本体における前記上部開口の第４辺から突出するように構成することができる。
【００１５】
この構成によれば、次の利点がある。すなわち、上部開口において、上蓋部を開くには、本体部の第４辺に指を差し込んで上蓋フラップを引き上げるようにするが、上記のように第４辺から第１挿入部が突出していると、第４辺は収容箱に接する辺となるため、この部分には指を挿入しがたくなる。特に第１挿入部が第４辺に対して概ね９０度の角度になるように突出していると、第４辺付近の剛性が向上し、指の挿入がよりしがたくなる。これにより、上蓋フラップを開いて、内部空間の商品を容易に取り出すことが防止される。
【００１６】
上記連結箱は、次のように構成することもできる。すなわち、前記第１挿入部が前記連結箱の上部開口に取り付けられたとき、前記連結箱の箱本体は、前記収容箱の本体部と接触するように構成され、前記箱本体において、前記収容箱に接触する面に、前記補助物品を収容するための開口部を形成することができる。
【００１７】
この構成によれば、補助物品を収容するための開口部が収容箱に接するため、連結箱が収容箱に取り付けられたとき、この開口部が外部に露出するのを防止することができる。その結果、連結箱を収容箱から取り外さない限り、開口部が開かれず、補助物品が取り出されるのを防止することができる。
【００１８】
本発明に係る包装用容器は、上部開口及び下部開口を有し、物品を角筒状の本体部と、前記上部開口を塞ぐ上蓋部と、前記下部開口を塞ぐ下蓋部と、を備え、前記上部開口及び下部開口は、それぞれ、第１，第２，第３及び第４辺を周縁とする矩形状に形成され、前記上蓋部が、前記上部開口の対向する第１辺及び第３辺に折り曲げ可能に連結された一対の横フラップと、前記第２辺に折り曲げ可能に連結され、前記第４辺まで延びて当該第４辺に着脱自在に固定される上蓋フラップと、を備えている収容箱と、上述したいずれかに記載の連結箱と、を備えている。
【発明の効果】
【００１９】
本発明によれば、収容箱から連結箱が容易に取り外されることを防止することができる。
【図面の簡単な説明】
【００２０】
【図１】本発明の一実施形態に係る収容箱の斜視図である。
【図２】図１の収容箱の展開図である。
【図３】本発明の一実施形態に係る連結箱の斜視図である。
【図４】図３の連結箱の展開図である。
【図５】図３の連結箱を背面部側から見た斜視図である。
【図６】収容箱に連結箱を取付ける様子を示す斜視図である。
【図７】収容箱に連結箱を取付ける様子を示す一部断面図である。
【図８】本発明の一実施形態に係る包装用容器の斜視図である。
【図９】収容箱に連結箱が取付けられた他の例を示す一部断面図である。
【発明を実施するための形態】
【００２１】
以下、本発明に係る包装用容器の一実施形態について図面を参照しつつ説明する。本実施形態に係る包装用容器は、商品など（物品）を収容する収容箱１と、その付属品やおまけなど（補助物品）を収容する連結箱２とを備え、これら収容箱１と連結箱２とが連結されたものである。以下、収容箱１、連結箱２を順に説明し、その後、これらを連結した包装用容器について説明する。
【００２２】
＜１．収容箱＞
図１は本実施形態に係る収容箱の斜視図であり、図２は図１の収容箱の展開図である。図１に示すように、この収容箱１は、上下方向に長い縦長の直方体であり、角筒状の本体部１０を備えている。そして、本体部１０の上部開口１０１及び下部開口１０２は、上蓋部及び下蓋部（底部）によってそれぞれ閉じられている。まず、図２を参照しつつ、この収容箱１の展開図について説明する。以下の説明では、説明の便宜上、図２の横方向を幅方向、上下方向を縦方向と称して説明を行うことがある。
【００２３】
本実施形態に係る収容箱１は、図２に示すように展開することができ、プラスチック、紙などの変形可能な薄板状の材料で形成されている。この収容箱１の本体部１０は、図２の右から左へ、矩形状に形成された第１側面部１１、正面部１２、第２側面部１３、及び背面部１４が、この順で連結されている。これら各部の連結部分はそれぞれ折り曲げ可能となっている。また、背面部１４の左側の辺には、矩形状ののりしろ１４１が折り曲げ可能に連結されている。
【００２４】
正面部１２は、収容箱１の正面を向く面であり、例えば、商品の名称などが表示されている。一方、背面部１４は、正面部１２と同じ大きさに形成され、収容箱１が組み立てられたときには、正面部１２と対向する位置に配置される。そして、背面部１４には、例えば、商品の使用方法、成分表，会社名などが表示される。第１側面部１１及び第２側面部１３は、同じ大きさに形成され、第１側面部１１が正面部１２に向かって右側に配置され、第２側面部は第１側面部１１と対向する位置、つまり正面部１２に向かって左側に配置される。こうして、本体部１０の上部開口１０１及び下部開口１０２は、概ね正方形に形成されている。なお、第１側面部１１の上辺及び下辺、正面部１２の上辺及び下辺、第２側面部１３の上辺及び下辺、ならびに背面部１４の上辺及び下辺が、それぞれ、本発明の第１辺、第２辺、第３辺、及び第４辺に相当する。
【００２５】
次に、上蓋部について説明する。上蓋部は、正面部１２の上辺に折り曲げ可能に連結された矩形状の上蓋フラップ１５、第１側面部１１及び第２側面部１３の上辺にそれぞれ折り曲げ可能に連結された第１上部横フラップ１６、及び第２上部横フラップ１７で構成されている。上蓋フラップ１５は、本体部１０の上部開口１０１とほぼ同じ大きさの矩形状に形成されており、先端部には矩形状の先端フラップ１５１が折り曲げ可能に連結されている。第１上部横フラップ１６と第２上部横フラップ１７は同じ大きさの矩形状に形成されている。第１上部横フラップ１６の幅は、第１側面部１１の上辺とほぼ同じであり、第１側面部１１からの突出長さＬ２は、正面部１２の幅の半分よりやや短い長さである。第２上部横フラップ１７も同様である。
【００２６】
続いて、下蓋部について説明する。下蓋部は、上蓋部とほぼ同様の構成であり、下蓋フラップ１８０、第１下部横フラップ１８、及び第２下部横フラップ１９により形成されている。これら下蓋フラップ１８０、第１下部横フラップ１８、及び第２下部横フラップ１９は、上蓋フラップ１５、第１上部横フラップ１６、及び第２上部横フラップ１７にそれぞれ対応する位置に配置され、大きさも同じである。また、下蓋フラップ１８０の先端部には矩形状の先端フラップ１８１が折り曲げ可能に連結されている。
【００２７】
次に、上記のように構成された収容箱１の組み立てについて説明する。まず、展開された状態から本体部１０を組み立てる。具体的には、各部１１〜１４の連結部分を折り曲げることで、角筒状に形成する。このとき、のりしろ１４１も背面部１４に対して折り曲げられ、折り曲げられたのりしろ１４１を、接着材により第１側面部１１の裏面に接着する。こうして、本体部１０が、内部空間を有する角筒状に形成される。
【００２８】
次に、本体部１０の下部開口１０２を閉じる下蓋部を組み立てる。まず、両下部横フラップ１８，１９を折り曲げた後、下蓋フラップ１８０を折り曲げ、最後に、背面部１４と両下部横フラップ１８，１９の隙間に下蓋フラップ１８０の先端フラップ１８１を差し込む。
【００２９】
これに続いて、本体部１０の上部開口１０１から商品を、本体部１０の内部空間へ収容する。最後に、本体部１０の上部開口１０１を閉じる蓋部を組み立てる。すなわち、両上部横フラップ１６，１７を折り曲げた後、上蓋フラップ１５を折り曲げ、最後に、背面部１４と両上部横フラップ１６，１７の隙間に上蓋フラップ１５の先端フラップ１５１を差し込む。こうして、収容箱１が組み立てられる。
【００３０】
＜２．連結箱＞
次に、連結箱２について説明する。図３は本実施形態に係る連結箱の斜視図であり、図４は図３の連結箱の展開図である。図３に示すように、この連結箱２は、上下方向に長い縦長の直方体であり、角筒状の本体部２０を備えている。そして、本体部２０の上部開口２０１及び下部開口２０２は、上閉鎖部（上蓋部）、及び下閉鎖部（下蓋部）によってそれぞれ閉じられている。さらに、本体部２０の上部開口２０１及び下部開口２０２の縁部には、後述するように、挿入部２０５，２０６がそれぞれ取り付けられている。まず、図４を参照しつつ、この連結箱２の展開図について説明する。以下の説明では、説明の便宜上、図４の横方向を幅方向、上下方向を縦方向と称して説明を行うことがある。なお、上記連結箱において、本体部２０、上閉鎖部、及び下閉鎖部で構成される部分が、本発明の箱本体に相当する。
【００３１】
本実施形態に係る連結箱は、図４に示すように展開することができ、プラスチック、紙などの変形可能な薄板状の材料で形成されている。この連結箱２の本体部２０は、図４の右から左へ、矩形状に形成された正面部２１，第１側面部２２、背面部２３、及び第２側面部２４が、この順で連結されている。これら各部の連結部分はそれぞれ折り曲げ可能となっている。また、後述するように、背面部２３は、上述した収容箱１の第１側面部１１又は第２側面部１３に接する面であり、正面部２１は、背面部２３とは反対側に配置され、外部を向く面である。そのため、正面部２１及び背面部２３は、それぞれ収容箱１の第１側面部１１及び第２側面部１３と同じ大きさに形成されている。また、正面部２１の右側の辺には、第２側面部２４とほぼ同じ大きさの矩形状ののりしろ２１１が折り曲げ可能に連結されている。
【００３２】
正面部２１は、例えば、商品の名称，使用方法などが表示されている。一方、背面部２３は、正面部２１と同じ大きさに形成され、連結箱２が組み立てられたときには、正面部２１と対向する位置に配置される。第１側面部２２及び第２側面部２４は、同じ大きさに形成され、第１側面部２２が正面部２１に向かって左側に配置され、第２側面部２４は第１側面部２２と対向する位置、つまり正面部２１に向かって右側に配置される。なお、第１側面部２２の上辺及び下辺、正面部２１の上辺及び下辺、第２側面部２４の上辺及び下辺、ならびに背面部２３の上辺及び下辺が、それぞれ、本発明の連結箱における第１辺、第２辺、第３辺、及び第４辺に相当する。
【００３３】
また、背面部２３の中央付近には、幅方向に延びる一対の第１ミシン目２３１が形成されている。より詳細には、これらミシン目２３１は、第１側面部２２と第２側面部２４とを結ぶように平行に延びており、後述するように、これら第１ミシン目２３１の間の領域が、連結箱２の蓋部（開口部）２１０を構成している。
【００３４】
第１側面部２２及び第２側面部２４は、正面部２１及び背面部２３の幅よりも狭くなっている。そのため、本体部２０の上部開口２０１及び下部開口２０２は、正面部２１及び背面部２３側が長い、長方形状に形成される。また、第２側面部２４には、上述した第１ミシン目２３１と連続する一対の第２ミシン目２４１が形成されている。より詳細には、これら第２ミシン目２４１は、第２側面部２４の背面部２３側の辺から反対側の左側の辺まで、互いに近接するように斜め方向に延びている。そして、左側の辺においては、所定長さを開けて、第２ミシン目２４１の端部が終端している。ここで、第２側面部２４において、両第２ミシン目２４１に挟まれる領域は、蓋部２１０を開くときの取っ手として用いられる蓋取っ手部２４２を構成し、背面部２３の蓋部２１０と連結されている。
【００３５】
次に、上閉鎖部について説明する。上閉鎖部は、正面部２１の上辺に折り曲げ可能に連結された矩形状の上閉鎖フラップ２５、第１側面部２２及び第２側面部２４の上辺にそれぞれ折り曲げ可能に連結された第１上部横フラップ２６、及び第２上部横フラップ２７で構成されている。上閉鎖フラップ２５は、本体部２０の上部開口２０１とほぼ同じ大きさの矩形状に形成されており、先端部には矩形状の先端フラップ２５１が折り曲げ可能に連結されている。また、第１上部横フラップ２６と第２上部横フラップ２７は同じ大きさの矩形状に形成されている。第１上部横フラップ２６の幅は、第１側面部２２の上辺と同じであり、第１側面部からの突出長さは、正面部２１の幅よりも短く形成されている。第２上部横フラップ２７も同様である。
【００３６】
続いて、下閉鎖部について説明する。下閉鎖部は、上閉鎖部とほぼ同様の構成であり、下閉鎖フラップ２８０、第１下部横フラップ２８、及び第２下部横フラップ２９により形成されている。これら下閉鎖フラップ２８０、第１下部横フラップ２８、及び第２下部横フラップ２９は、上閉鎖フラップ２５、第１上部横フラップ２６、及び第２上部横フラップ２７にそれぞれ対応する位置に配置されて、同じ大きさに形成されている。また、下閉鎖フラップ２８０の先端部には矩形状の先端フラップ２８１が折り曲げ可能に連結されている。
【００３７】
次に、挿入部について説明する。背面部２３の上辺及び下辺には、それぞれ矩形状の上挿入部２０５及び下挿入部２０６が折り曲げ可能に連結されている。また、上挿入部２０５及び下挿入部２０６の先端にはそれぞれ細長い矩形状の上係止部２０７及び下係止部２０８がそれぞれ連結されている。上挿入部２０５及び下挿入部２０６の長さ、つまり背面部２３の上辺及び下辺からの突出長さＬ１は、それぞれ収容箱１の横フラップ１６〜１９の長さＬ２（図２参照）よりも長くなっている。より詳細に説明すると、挿入部２０５及び下挿入部２０６の突出長さＬ１、収容箱１の横フラップ１６〜１９の突出長さＬ２、先端フラップ２５１、２８１の突出長さＬ３の関係が、Ｌ１−Ｌ３＞Ｌ２となっている。
【００３８】
次に、上記のように構成された連結箱２の組み立てについて説明する。まず、展開された状態から本体部２０を組み立てる。具体的には、各部２１〜２４の連結部分を折り曲げることで、角筒状に形成する。このとき、のりしろ２１１も正面部２１に対して折り曲げられ、接着材を介して折り曲げられたのりしろ２１１を第２側面部２４の裏面に接着する。ここで、のりしろ２１１には、上述した蓋取っ手部２４２と対応する部分には接着材を塗布せず、上部開口２０１側及び下部開口２０２側にのみ接着材が塗布される。こうして、本体部２０が、内部空間を有する角筒状に形成される。
【００３９】
次に、本体部２０の下部開口２０２を閉じる下閉鎖部を組み立てる。すなわち、両下部横フラップ２８，２９を折り曲げた後、下閉鎖フラップ２８０を折り曲げ、最後に、背面部２３と両下部横フラップ２８，２９の隙間に下閉鎖フラップ２８０の先端フラップ２８１を差し込む。
【００４０】
これに続いて、本体部２０の上部開口２０１から商品を、本体部２０の内部空間へ収容する。続いて、本体部２０の上部開口２０１を閉じる上閉鎖部を組み立てる。すなわち、両上部横フラップ２６，２７を折り曲げた後、上閉鎖フラップ２５を折り曲げ、最後に、背面部２３と両上部横フラップ２６，２７の隙間に上閉鎖フラップ２５の先端フラップ２５１を差し込む。
【００４１】
続いて、図３に示すように、上挿入部２０５及び下挿入部２０６を、背面部２３に対して概ね９０度の角度になるように、連結箱２の外側へ延びるように折り曲げる。これに続いて、上挿入部２０５及び下挿入部２０６と連結されている上係止部２０７、下係止部２０８をそれぞれ折り曲げる。このとき、上係止部２０７は、下側に向けて折り曲げ、上挿入部２０５と上係止部２０７とが概ね接するようにする。一方、下係止部２０８は、上側に向けて折り曲げ、下挿入部２０６と下係止部２０８とが概ね接するようにする。こうして、連結箱２が組み立てられる。
【００４２】
連結箱２から商品を取り出すには、図５に示すように、まず、第２側面部２４の蓋取っ手部２４２を、のりしろ２１１から引き離す。このとき、第２ミシン目２４１が破断し、蓋取っ手部２４２がのりしろ２１１から離間する。そして、蓋取っ手部２４２を把持したまま、これを背面部２３側に移動させると、第１ミシン目２３１が破断し、蓋部２１０が背面部２３から離間する。これにより、背面部２３に開口が形成され、商品を取出し可能な状態となる。
【００４３】
＜３．収容箱への連結箱の取り付け＞
次に、連結箱２を収容箱１に取り付ける。まず、図６に示すように、上係止部２０７が折り曲げられた状態で、上挿入部２０５を収容箱１の上端部に取り付ける。より詳細には、図７（ａ）に示すように、上挿入部２０５の先端（上挿入部２０５と上係止部２０７との連結部分）を、収容箱１の第１側面部１１側から、上蓋フラップ１５と、第１上部横フラップ１６との間に挿入する。そして、図７（ｂ）に示すように、連結箱２の背面部２３が、収容箱１の第１側面部１１に接触したところで、上挿入部２０５の挿入は完了する。このとき、上挿入部２０５の先端は、第１上部横フラップ１６を越えたところまで挿入されるが、折り曲げられた上係止部２０７は、材料の復元力により、上挿入部２０５との角度が変化する。すなわち、上係止部２０７は、上挿入部２０５から下向きに傾斜した状態となる。これにより、上挿入部２０５と上係止部２０７とでＶ字型の抜け止めが形成され、連結箱２を収容箱１から離そうとすると、図７（ｃ）に示すように、このＶ字型の抜け止めが、第１上部横フラップ１６の端部に引っかかり、連結箱２が収容箱１から離れるのが防止される。
【００４４】
下挿入部２０６についても、上挿入部２０５と同様に収容箱１に取り付ける。まず、下係止部２０８が折り曲げられた状態で、下挿入部２０６の先端（下挿入部２０６と下係止部２０８との連結部分）を、収容箱１の第１側面部１１側から、下蓋フラップ１８０と、第１下部横フラップ１８との間に挿入する。そして、連結箱２の背面部２３が、収容箱１の第１側面部１１に接触したところで、下挿入部２０６の挿入は完了する。このとき、下挿入部２０６の先端は、第１下部横フラップ１８を越えたところまで挿入されるが、折り曲げられた下係止部２０８は、材料の復元力により、下挿入部２０６との角度が変化する。すなわち、下係止部２０８は、下挿入部２０６から上向きに傾斜した状態となる。これにより、下挿入部２０６と下係止部２０８とでＶ字型の抜け止めが形成され、連結箱２を収容箱１から離そうとすると、このＶ字型の抜け止めが、第１下部横フラップ１８の端部に引っかかり、連結箱２が収容箱１から離れるのが防止される。こうして、図９に示すように、収容箱１と連結箱２とが連結された包装用容器が形成される。
【００４５】
＜４．特徴＞
以上のように、本実施形態によれば、連結箱２を収容箱１から離間しようとすると、上係止部２０７が第１上部横フラップ１６に係合し、抜け止めとなるため、連結箱２が収容箱１から離れるのを防止することができる。したがって、連結箱２が収容箱１から取り外され、盗難などがなされるのを防止することができる。また、下挿入部２０６及び下係止部２０７も同様に、収容箱１に固定されるため、連結箱２を収容箱１に確実に固定することができ、連結箱２の取り外しを防止することができる。
【００４６】
また、連結箱２の上部開口２０１においては、上閉鎖フラップ２５の先端フラップ２５１が、上挿入部２０５側に配置されているため、次の利点がある。すなわち、上部開口２０１において、上閉鎖フラップ２５を開くには、一般的には、背面部２３と先端フラップ２５１との間に指を差し込み、先端フラップ２５１を引き上げることで、上閉鎖フラップ２５を開くが、上述のとおり、上挿入部２０５が背面部２３に対して概ね９０度の角度になるように折り曲げられることで、背面部２３の上辺付近の剛性が向上し、また、連結箱２の背面部２３は、収容箱１の第１側面部１１に接触しているため、変形させにくい。そのため、背面部２３と先端フラップ２５１との間に指を差し込むことは難しい。これにより、上閉鎖フラップ２５を開いて、内部空間の商品を容易に取り出すことを防止している。この点は、下閉鎖フラップ２８０についても同様である。
【００４７】
また、連結箱２の蓋部２１０は、背面部２３に形成されているが、上記のように、この背面部２３は収容箱１の第１側面部１１に接触しており、外部から見えないようになっている。また、第２側面部２４の蓋取っ手部２４２を、のりしろ２１１から引き離そうとしても、接触している収容箱１の第１側面部１１が障害となり、第１ミシン目２３１までを破断することまではできない。したがって、蓋部２１０が簡単に開かれるのを防止することができる。
【００４８】
＜５．変形例＞
【００４９】
以上、本発明の一実施形態について説明したが、本発明はこれに限定されるものではなく、その趣旨を逸脱しない限りにおいて種々の変更が可能である。
【００５０】
収容箱１に収容される商品の形態は、特には限定されないが、例えば、商品の高さが、収容箱１の高さとほぼ同じであるとき、図９に示すように、折り曲げられた第１係止部２０７が、商品Ａの頂部と上蓋フラップ１５とにより挟まれるように構成されることが好ましい。
【００５１】
これにより、折り曲げられた第１係止部２０７が、下側から商品の頂部により押圧されるため、第１係止部２０７の第１挿入部２０５に対する折り曲げ状態が維持される。その結果、第１係止部２０７を第１上部横フラップ１６に対して、確実に係止させることができる。
【００５２】
上記実施形態では、収容箱１の第１側面部１１に対して、連結箱２を取付けているが、第２側面部１３に対して取付けることもできる。
【００５３】
上記実施形態では、連結箱２に２つの挿入部２０５，２０６及び係止部２０７，２０８を設けているが、１つだけであってもよい。
【００５４】
上記実施形態では、連結箱２の上端部及び下端部に挿入部２０５，２０６を設けているが、挿入部２０５，２０６を設ける位置は、特には限定されない。また、収容箱１と連結箱２の高さや、接触する面の大きさが同じでなくてもよい。さらに、連結箱２は、必ずしも直方体状でなくてもよく、挿入部２０５，２０６を取付けられる形状であればよく、多角形状、円筒状など、種々の形状にすることができる。さらに、挿入部２０５，２０６の形態も特には限定されず、収容箱１の上蓋部または下蓋部に挿入可能な板状に形成されていればよい。また、係止部２０７，２０８の形状も特には限定されず、少なくとも挿入部２０５，２０６の先端に折り曲げ可能に連結されていればよく、挿入部２０５，２０６の幅全体に設ける必要はなく、一部であったり、複数個設けてもよく、形状も矩形状以外であってもよい。
【００５５】
連結箱の蓋部２１０は、どのような形態でもよく、他の場所に設けたり、あるいは蓋部２１０を設けず、上蓋部または下蓋部により補助物品を取り出すようにしてもよい。
【符号の説明】
【００５６】
１  収容箱
１５  上蓋フラップ
１６  第１上部横フラップ（横フラップ）
１７  第２上部横フラップ（横フラップ）
１８０  下蓋フラップ
１８  第１下部横フラップ（横フラップ）
１９  第２下部横フラップ（横フラップ）
２  連結箱
２５  上閉鎖フラップ（上蓋フラップ）
２６  第１上部横フラップ（横フラップ）
２７  第２上部横フラップ（横フラップ）
２０５  上挿入部（第１挿入部）
２０６  下挿入部（第２挿入部）
２０７  上係止部（第１係止部）
２０８  下係止部（第２係止部）
２１０  蓋部（開口部）
【図１】
2015229523.tif 000003
【図２】
2015229523.tif 000004
【図３】
2015229523.tif 000005
【図４】
2015229523.tif 000006
【図５】
2015229523.tif 000007
【図６】
2015229523.tif 000008
【図７】
2015229523.tif 000009
【図８】
2015229523.tif 000010
【図９】
2015229523.tif 000011